(57)【要約】      （修正有）【課題】ペットボトル本体及びキャップの開封防止リング部分の形状を改良し、キャップ開封防止リングを容易に取り外せるようにする。【解決手段】ペットボトル本体１及びキャップ開封防止リング２にペットボトル本体１側の突起Ａ及びＢとキャップ開封防止リング２側の突起Ｃ及びＤの頂点付近が接触する三角柱の突起Ａ、Ｂ、Ｃ，Ｄを設け、ＡとＣの間は未開封時に接触しているように作り、ＢとＤの間には約２〜３ｍｍの隙間を設ける。キャップ開封防止リング２の突起ＣとＤの間には、キャップ開封防止リング２に対して垂直にミシン目を設ける。この構造により、キャップ開封時にキャップ開封防止リング２のミシン目が切断され、容易にキャップ開封防止リング２をペットボトル本体１から取り外すことが出来る。【選択図】図３
2011020721.tif 000002
【特許請求の範囲】
【請求項１】
ペットボトル本体（１）のキャップ開封防止リング取付部と、キャップ開封防止リング（２）の内側にそれぞれ２箇所の突起を設け、該突起の形状は三角柱で構成され、ペットボトル本体（１）とキャップ開封防止リング（２）の突起の頂点付近が接触するように設けるとともに、キャップ開封防止リング（２）には、前記突起との間にキャップ開封防止リング（２）に対して垂直にミシン目を設けたことを特徴とするペットボトルとキャップ開封防止リング。
【請求項２】
前記突起の位置関係において、突起（Ａ）と突起（Ｃ）は接触する位置に設け、突起（Ｂ）と突起（Ｄ）の間には２〜３ｍｍの隙間を設けたことを特徴とする請求項１記載のペットボトルとキャップ開封防止リング。
【発明の詳細な説明】
【技術分野】
【０００１】
本発明は、ペットボトルのキャップ開封防止リングの取り外しを容易にするため、ペットボトル本体及びキャップ開封防止リングの形状に関する。
【背景技術】
【０００２】
ペットボトルは資源物として各自治区により分別処理されている。その際ペットボトルのキャップはボトル本体と材質が異なるため分別しなくてはならない。キャップは取り外しが容易なため分別されているが、キャップ開封防止リング部分はペットボトル本体との分別が困難なため、なかなか分別されていないのが実状である。
また資源リサイクルの工程においては、キャップ開封防止リングとペットボトル本体との材質が異なるため、リング部分の材質を除去するための工程を余計に設けているため、コストの上昇と、リサイクルに要するエネルギーも余計に要している。
【先行技術文献】
【特許文献】
【０００３】
【特許文献１】特開２００９−４６１９０
【特許文献２】特開２００７−１８６２５３
【特許文献３】特開２００７−１０６４５１
【特許文献４】特開２００６−２３２３９２
【特許文献５】特開２００６−２１３３６１
【特許文献６】特開２００６−１７６２０４
【発明の概要】
【発明が解決しようとする課題】
【０００４】
現行のペットボトルでは、ペットボトル本体とキャップ開封防止リング間に隙間がないこと、及びキャップ開封防止リング自体に強度を持たせる必要もあり、取り外すのは非常に困難である。本発明はキャップ開封防止リングを容易にペットボトルから取り外すための、ペットボトル本体及びキャップ開封防止リングの構造に特徴を有するものである。
【課題を解決するための手段】
【０００５】
本発明は、ペットボトルのキャップ開封防止リングを簡単に取り外せるよう、ペットボトル本体及びキャップの開封防止リングの一部に改良を加えたものである。
ペットボトル本体のキャップ開封防止リング取付部とキャップ開封防止リングに三角柱の突起を２箇所形成する。その突起はキャップを閉める方向側に傾斜を設け、ペットボトル本体側の突起とキャップ開封防止リング側の突起の頂点付近が接触する構造とする。
キャップ開封防止リングに形成した２つの突起間にはミシン目を構成し、負荷が加わったときに切断可能な形状とする。
上記ミシン目に対して左側にくる突起Ａ及びＣは、ペットボトルとキャップ開封防止リングの突起が未開封の状態のときに接触しているようにする。
上記ミシン目に対して右側にくる突起Ｂ及びＤは、ペットボトル本体の突起とキャップ開封防止リングの突起間に約２〜３ｍｍの隙間を設ける。
前述の方法によりキャップを開封時にキャップ開封防止リングのミシン目が切断され、キャップ開封防止リングは既存のペットボトルのようにペットボトル本体に残るがキャップ開封防止リングのミシン目が切断されているため簡単に取り外すことが可能となる。
【発明の効果】
【０００６】
本発明によりキャップ開封防止リングの取り外しが容易となり、キャップ開封防止リング本来の機能である開封防止機能も損なわず、初期の金型作製費用以外に製造コストに与える影響はないものである。
【図面の簡単な説明】
【０００７】
【図１】キャップとキャップ開封防止リングの斜視図
【図２】ペットボトル本体の正面図
【図３】ペットボトル本体及びキャップ及びキャップ開封防止リングの断面図
【図４】本体キャップ部の平面図
【図５】キャップ開封リングの平面図
【図６】突起ＡＢＣＤの位置関係を示した一例の平面図
【図７】キャップ開封防止リングの一例のミシン目の正面図と平面図
【発明を実施するための形態】
【０００８】
キャップ開封時に、キャップ開封防止リングのミシン目に対して、左側の突起が接触してミシン目が割れる。そのまま開封していくとキャップ開封防止リング亀裂に対して右側の突起が接触してキャップ開封防止リングの回転を止め、さらにキャップを開封するとキャップとキャップ開封防止リングの接合部分が割れる構造について、図面を基に説明する。
【実施例】
【０００９】
ペットボトル本体（１）のキャップ開封防止リング取付部に２箇所の三角柱で構成した突起（Ａ）と突起（Ｂ）を、キャップ開封防止リング（２）に２箇所の三角柱で構成した突起（Ｃ）と突起（Ｄ）を設ける。キャップ開封防止リング（２）にはさらに突起（Ｃ）と（Ｄ）の間にミシン目（Ｅ）を形成する。突起は、閉め方向側に対して傾斜を設け、キャップを閉める場合に閉め方向へ回転するようにする。突起の高さ方向の位置関係は、ペットボトル本体側の突起と、キャップ開封防止リング側の突起の頂点付近が接触するように作る。そうすることによりキャップ（３）とキャップ開封防止リング（２）をペットボトル本体（１）に組み込む際はスムーズに入り、消費者がキャップを空ける際は突起同士がぶつかるようになる。図１はキャップとキャップ開封防止リングの斜視図、図２はペットボトル本体の正面図である。
【００１０】
突起（Ｃ）及び（Ｄ）はペットボトル本体（１）にあるキャップと開封防止リング外れ防止リブ（５）にぶつからない大きさにする。図３はペットボトル本体及びキャップ及びキャップ開封防止リングの断面図、図４は本体キャップ部の平面図、図５はキャップ開封リングの平面図、図６は突起ＡＢＣＤの位置関係を示した一例の平面図である。
【００１１】
ミシン目（Ｅ）はキャップ開封防止リング（２）に対し垂直でキャップ開封防止リング上部の厚さの略半分で、２〜４箇所のミシン目を構成する。図７はキャップ開封防止リングの一例のミシン目の正面図と平面図である。
【００１２】
突起（Ａ）及び（Ｃ）はミシン目（Ｅ）に対して左側に作り、突起（Ａ）の位置はペットボトルのキャップの性質上必ずキャップが同じ位置で止まることを利用し、ペットボトル本体（１）の突起（Ａ）の位置をキャップ開封防止リングの突起（Ｃ）に接する位置に設ける。これにより未開封時に接触しているように作る事が出来る。突起（Ａ）及び（Ｃ）が接触している事により開封時にミシン目（Ｅ）に引っ張り方向の負荷がかかるためミシン目（Ｅ）が切断される。
【００１３】
突起（Ｂ）及び（Ｄ）はミシン目（Ｅ）に対して右側に作り、未開封時に突起（Ｂ）と（Ｄ）との隙間（Ｆ）は約２〜３ｍｍの隙間を設けることにより、開封時のキャップ開封防止リング（２）の回転を止め、キャップ（３）とキャップ開封防止リング（２）の接合がきっちり外れるようになる。
【００１４】
キャップ開封防止リング（２）に付いているペットボトルから外れないための爪（Ｇ）は、従来の爪数又は設置面積であると、キャップ開封防止リング（２）を組み込むときにミシン目（Ｅ）が切断する恐れがある為、ペットボトルに組み込む際のミシン目（Ｅ）に対する負荷を少なくする為、従来の３分の２から半分の爪数又は設置面積にすることが望ましい。例えば、キャップ開封防止リング外れ防止爪（Ｇ）を４つ以下とし、適宜爪間の隙間を構成すること等がある。
【００１５】
本発明の構成によりキャップを開封するとまず突起（Ａ）と（Ｃ）により、キャップ開封防止リング（２）の回転を止め、ミシン目（Ｅ）が切断される。さらにキャップ（３）開封すると、突起（Ｂ）と（Ｄ）が接触し、キャップ（３）とキャップ開封防止リング（２）の接合が外れる。
【００１６】
本発明は上述の如き構成からなるものであり、開封した段階でキャップ開封防止リングが割れているため、キャップ開封防止リング（２）が容易に取り外され、また製造面においてキャップ（３）とキャップ開封防止リング（２）をペットボトル本体（１）に組み込む際も問題ない。
【符号の説明】
【００１７】
１    ペットボトル本体
２    キャップ開封防止リング
３    キャップ
４   キャップとキャップ開封防止リング接合部分
５   キャップ開封防止リング外れ防止リブ
Ａ   突起ペットボトル左側
Ｂ   突起ペットボトル右側
Ｃ   突起キャップ開封防止リング左側
Ｄ   突起キャップ開封防止リング右側
Ｅ   ミシン目
Ｆ   突起ＢとＤの隙間
Ｇ   キャップ開封防止リング外れ防止爪
【図１】
2011020721.tif 000003
【図２】
2011020721.tif 000004
【図３】
2011020721.tif 000005
【図４】
2011020721.tif 000006
【図５】
2011020721.tif 000007
【図６】
2011020721.tif 000008
【図７】
2011020721.tif 000009